(57)【要約】【課題】耐震部材と貯湯タンク上部の固定強度を向上させることにより、外装ケース内での貯湯タンク上部の揺れを効果的に防止可能な耐震部材を備えた貯湯給湯装置を提供すること。【解決手段】貯湯タンクと、この貯湯タンクを収容する外装ケースと、前記貯湯タンクの上部に設けられた配管接続部と、この配管接続部に接続される配管と、前記外装ケースと前記配管接続部を連結して前記貯湯タンクの揺れを防止するための耐震部材を備えた貯湯給湯装置において、前記配管接続部は、円筒状の接続部本体の端部にフランジ部を有し、このフランジ部を介して前記配管を接続するものであり、前記耐震部材は、前記配管接続部を挿通するための開口部を備え、前記開口部は、前記フランジ部より大径の大径穴と前記接続部本体より小径の小径穴とを前記大径穴から前記小径穴に向かって幅が狭くなるテーパ部により連通させただるま穴形状に形成され、前記接続部本体が前記テーパ部に挟持される。【選択図】図１
2018100811.tif 000002
【特許請求の範囲】
【請求項１】
貯湯タンクと、この貯湯タンクを収容する外装ケースと、前記貯湯タンクの上部に設けられた配管接続部と、この配管接続部に接続される配管と、前記外装ケースと前記配管接続部を連結して前記貯湯タンクの揺れを防止するための耐震部材を備えた貯湯給湯装置において、
前記配管接続部は、円筒状の接続部本体の端部にフランジ部を有し、このフランジ部を介して前記配管を接続するものであり、
前記耐震部材は、前記配管接続部を挿通するための開口部を備え、
前記開口部は、前記フランジ部より大径の大径穴と前記接続部本体より小径の小径穴とを前記大径穴から前記小径穴に向かって幅が狭くなるテーパ部により連通させただるま穴形状に形成され、前記接続部本体が前記テーパ部に挟持されることを特徴とする貯湯給湯装置。
【請求項２】
前記配管の一部は、前記配管接続部から水平方向に延び、
前記開口部において前記大径穴が前記小径穴より前記配管の水平延在方向に配設されたことを特徴とする請求項１に記載の貯湯給湯装置。
【発明の詳細な説明】
【技術分野】
【０００１】
本発明は、熱源機で加熱した湯水を貯湯タンクに貯留し、貯留した湯水を給湯する貯湯給湯装置に関し、特に貯湯タンクの揺れを防止するために、貯湯タンクの上部と貯湯給湯装置の外装ケースとを連結する耐震部材を備えた貯湯給湯装置に関する。
【背景技術】
【０００２】
従来から給湯用の湯水を予め熱源機で加熱して貯湯タンクに貯留し、貯留した湯水を給湯する貯湯給湯装置が広く使用されている。このような貯湯給湯装置は、その外装ケース内に貯湯タンクが収容され、貯湯タンクの下部に配設された複数の固定脚により外装ケースに固定されている。外装ケースは、設置場所に設けられた土台や隣接する建物の壁部等に固定され、貯湯給湯装置の転倒を防いでいる。
【０００３】
通常、貯湯タンクには湯水が貯留されて満水状態になっており、貯湯給湯装置の重量の大部分を占めている。地震等により貯湯タンクが揺れると外装ケースと衝突し、外装ケースの変形や貯湯給湯装置の転倒等の虞がある。そのため、貯湯タンクの上部には、貯湯タンクの揺れを抑える耐震部材として、例えば図４に示すようなタンク支持板１２０が配設されてその固定部１２０ａが外装ケースに固定されている。このタンク支持板１２０が貯湯タンク上部の揺れを抑制し、固定脚が貯湯タンク下部の揺れを防いで貯湯タンク全体の揺れを抑えている。
【０００４】
タンク支持板１２０は、貯湯タンク上部に貯湯タンクと一体的に設けられた配管接続部を挿通するための略円形の挿通穴１２０ｂを備えている。配管接続部は、給湯配管を接続するために、その円筒状の配管接続部本体の先端部にフランジ部を有する。挿通穴１２０ｂは、そのフランジ部の外径より大径に形成されているので、配管接続部本体より大径である。そのため、貯湯タンク上部は外装ケースに固定されていないが、貯湯タンク上部の揺れは、配管接続部本体が挿通穴１２０ｂ内を移動する範囲内に抑えられる。
【０００５】
また、耐震部材として、例えば特許文献１のように、貯湯タンクの上部に接続された給湯配管と貯湯給湯装置の外装ケースとを固定するための揺れ防止板を備え、貯湯タンクの上部が給湯配管を介して外装ケースに固定される構成が知られている。
【先行技術文献】
【特許文献】
【０００６】
【特許文献１】実開平３−１０１６３号公報
【発明の概要】
【発明が解決しようとする課題】
【０００７】
一方、空気調和・衛生工学会（ＳＨＡＳＥ）が定める貯湯式給湯器転倒防止対策ガイドラインによれば、「貯湯ユニットを底部及び上部で固定したとき、固有振動数５．０Ｈｚ以上を有すること」が基準として挙げられている。地震の揺れとの共振を防いで転倒を防止するためである。この基準を達成するには、貯湯給湯装置の剛性を高めることが有効であり、貯湯タンクの上部を外装ケースに固定する強度を高めて外装ケース内での貯湯タンクの揺れを防止する必要がある。
【０００８】
しかし、従来のタンク支持板は、貯湯タンク上部を外装ケースに固定していない。また、特許文献１の貯湯給湯装置では、揺れ防止板により給湯配管を介して貯湯タンクの上部を外装ケースに固定しているため、給湯配管がしなって貯湯タンクの上部が揺れる。さらに、揺れ防止板は給湯配管を挿通する切欠部を備えているが、貯湯タンク上部の揺れにより給湯配管がこの切欠部外に離れてしまう問題もある。従って、この揺れ防止板は、貯湯タンク上部の揺れを防止するための十分な固定強度を備えていない。
【０００９】
本発明の目的は、耐震部材と貯湯タンク上部の固定強度を向上させることにより、外装ケース内での貯湯タンク上部の揺れを効果的に防止可能な耐震部材を備えた貯湯給湯装置を提供することである。
【課題を解決するための手段】
【００１０】
第１の発明は、貯湯タンクと、この貯湯タンクを収容する外装ケースと、前記貯湯タンクの上部に設けられた配管接続部と、この配管接続部に接続される配管と、前記外装ケースと前記配管接続部を連結して前記貯湯タンクの揺れを防止するための耐震部材を備えた貯湯給湯装置において、前記配管接続部は、円筒状の接続部本体の端部にフランジ部を有し、このフランジ部を介して前記配管を接続するものであり、前記耐震部材は、前記配管接続部を挿通するための開口部を備え、前記開口部は、前記フランジ部より大径の大径穴と前記接続部本体より小径の小径穴とを前記大径穴から前記小径穴に向かって幅が狭くなるテーパ部により連通させただるま穴形状に形成され、前記接続部本体が前記テーパ部に挟持されることを特徴としている。
【００１１】
上記構成により、配管接続部の接続部本体がテーパ部に挟持されて耐震部材と貯湯タンク上部の固定強度が向上し、耐震部材を介して貯湯タンク上部が外装ケースに固定されるので、外装ケース内での貯湯タンク上部の揺れを効果的に防止することができる。
【００１２】
第２の発明は、第１の発明において、前記配管の一部は、前記配管接続部から水平方向に延び、前記開口部において前記大径穴が前記小径穴より前記配管の水平延在方向に配設されたことを特徴としている。
【００１３】
上記構成により、貯湯タンク上部が小径穴から大径穴に向かう方向に揺れても、揺れと同じ方向に延びる配管に支持されるので貯湯タンク上部の揺れを防ぐことができる。また、これ以外の方向の揺れは、接続部本体をテーパ部に挟持する耐震部材により効果的に防止することができる。
【発明の効果】
【００１４】
本発明によれば、耐震部材と貯湯タンク上部の固定強度を向上させることにより、外装ケース内での貯湯タンク上部の揺れを効果的に防止可能な耐震部材を備えた貯湯給湯装置を提供することができる。
【図面の簡単な説明】
【００１５】
【図１】本発明の実施例に係る耐震部材を備えた貯湯給湯装置の要部斜視図である。
【図２】貯湯タンク上部の要部拡大斜視図である。
【図３】耐震部材の平面図である。
【図４】従来の耐震部材の平面図である。
【発明を実施するための形態】
【００１６】
以下、本発明を実施するための形態について実施例に基づいて説明する。尚、図中の矢印Ｆは前方を示し、矢印Ｌは左方を示し、矢印Ｕは上方を示す。
【実施例】
【００１７】
最初に、貯湯給湯装置１について説明する。
図１に示すように、貯湯給湯装置１は、フレーム部材２及びこのフレーム部材２に着脱可能な右側面板３等の複数のパネル部材（図示略）により箱状に形成される外装ケース４内に、貯湯タンク５が収容されている。また、外装ケース４は、貯湯タンク５の右側部分に図示外の燃焼式熱源機やポンプ、制御部、配管等を収容する機器収容部６を備え、右側面板３には燃焼式熱源機の排気口３ａが設けられている。外装ケース４の左側部分には、フレーム部材を配設せず貯湯タンク５周りの作業性の向上が図られているが、フレーム部材が配設されていてもよい。
【００１８】
貯湯タンク５は円筒状に形成され、その軸方向を鉛直にした姿勢に固定するため、貯湯タンク５の下部に配設された複数の固定脚７ａ，７ｂ等により外装ケース４に固定されている。そのため、貯湯タンク５の下部の揺れが防止される。
【００１９】
貯湯タンク５の上部には、配管（給湯配管１０）を接続する配管接続部８と導入管接続部９が夫々貯湯タンク５と一体的に設けられている。図２に示すように、この配管接続部８は円筒状の接続部本体８ａの先端部にフランジ部８ｂを有している。給湯配管１０の先端部には、接続部本体８ａに挿入される挿入部１０ａとフランジ部１０ｂが設けられ、配管接続部８と給湯配管１０がクイックファスナ１１により接続される。
【００２０】
給湯配管１０は、貯湯タンク５に貯留された湯水を給湯先に供給するための配管であり、配管接続部８より上方で機器収容部６側に向かって水平に延びている。図示を省略するが、貯湯タンク５に貯留された湯水は、給湯配管１０を通って機器収容部６内で温度が調節された後、給湯栓等に供給される。
【００２１】
貯湯タンク５は、図示外の外部熱源機との間で湯水を循環させて加熱された湯水を貯留する。導入管接続部９は、その加熱された湯水を貯湯タンク５に導入するためのものであり、図２に示すように配管接続部８と同様に接続部本体９ａの先端部にフランジ部９ｂを有する。この導入管接続部９にその外部熱源機から延びる導入管が接続される。貯湯タンク５の下部には、その外部熱源機に貯湯タンク５内の湯水を供給する図示外の供給管を接続するための供給管接続部１２が設けられている。給湯時にはその供給管を介して上水が貯湯タンク５内に供給される。尚、外部熱源機として、ヒートポンプ式熱源機等が使用可能である。
【００２２】
次に、外装ケース４に貯湯タンク５の上部を連結する耐震部材２０について説明する。
図３に示すように、耐震部材２０は平面視略矩形の板状部材であり、外装ケース４を構成するフレーム部材２に固定するための固定部２０ａと、配管接続部８を挿通して固定するための開口部２０ｂを有する。この開口部２０ｂは、フランジ部８ｂより大径の大径穴２０ｃと接続部本体８ａより小径の小径穴２０ｄとを、大径穴２０ｃから小径穴２０ｄに向かって幅が狭くなるテーパ部２０ｅにより連通させただるま穴形状に形成されている。
【００２３】
大径穴２０ｃは小径穴２０ｄより固定部２０ａ側に形成されている。大径穴２０ｃと小径穴２０ｄの直径は、夫々例えば３２ｍｍと２２ｍｍであり、これらの中心は例えば２０ｍｍ離れている。テーパ部２０ｅのテーパ角は例えば１０°である。これら直径や角度等は、貯湯給湯装置１の構成に応じて適宜設定可能である。
【００２４】
耐震部材２０は、その剛性を向上させるために端部に立設された補強部２０ｆ，２０ｇを有する。尚、耐震部材２０はフレーム部材２と配管接続部８を連結できればよく、その大きさや形状は適宜変更可能である。
【００２５】
次に、耐震部材２０により貯湯タンク５上部と外装ケース４を連結する手順を説明する。
外装ケース４内に貯湯タンク５が配設され、固定脚７ａ等によりその下部が外装ケース４に固定されている。配管接続部８と給湯配管１０は未接続の状態である。ここで、貯湯タンク５の上方から耐震部材２０を下方に移動させて、耐震部材２０の大径穴２０ｃに配管接続部８を挿通させる。
【００２６】
次に、固定部２０ａを機器収容部６側にした姿勢で、耐震部材２０を小径穴２０ｄから大径穴２０ｃに向かう方向に水平に移動させる。この方向は、図２、図３に示すように、給湯配管１０が水平方向に延びる水平延在方向に略平行であり、大径穴２０ｃは小径穴２０ｄより水平延在方向に位置する。このとき、接続部本体８ａがテーパ部２０ｅに挟持されて耐震部材２０と配管接続部８が連結される。
【００２７】
次に、固定部２０ａをフレーム部材２の固定位置に調整してビス等の締結により固定する。このとき、耐震部材２０と配管接続部８の固定強度を向上させるため、接続部本体８ａにはテーパ部２０ｅにより機器収容部６側に押される力が常時働くように耐震部材２０がフレーム部材２に固定されることが好ましい。
【００２８】
この後、給湯配管１０を配管接続部８に挿入し、例えば図２中の矢印Ｒで示す方向にクイックファスナ１１を装着して接続する。こうして、図１に示すように、貯湯タンク５上部が耐震部材２０により外装ケース４と連結される。尚、固定部２０ａの固定と給湯配管１０の接続の順番は入れ替え可能である。
【００２９】
次に、本発明の耐震部材２０を備えた貯湯給湯装置１の作用、効果について説明する。
図２、図３に示すように、貯湯タンク５上部に設けられた配管接続部８の接続部本体８ａが耐震部材２０のテーパ部２０ｅに挟持されているので、耐震部材２０と接続部本体８ａとの固定強度が向上する。この耐震部材２０が固定部２０ａにて外装ケース４を構成するフレーム部材２に固定されているので、貯湯タンク５上部の揺れを効果的に防止することができる。複数の固定脚７ａ，７ｂ等により貯湯タンク５下部の揺れも防止できるので、外装ケース４内での貯湯タンク５の揺れを効果的に防止することができる。
【００３０】
また、耐震部材２０の開口部２０ｂは大径穴２０ｃと小径穴２０ｄをテーパ部２０ｅにより連通させただるま穴形状に形成され、大径穴２０ｃは小径穴２０ｄより給湯配管１０の水平延在方向に位置するように配設されている。そのため、貯湯タンク５上部が小径穴２０ｄから大径穴２０ｃに向かう方向に揺れても、揺れと同じ方向に延びる給湯配管１０に支持されるので貯湯タンク上部の揺れを防ぐことができる。また、これ以外の方向の揺れは、接続部本体８ａをテーパ部２０ｅに挟持する耐震部材２０により効果的に防止することができる。
【００３１】
さらに、大径穴２０ｃと小径穴２０ｄをテーパ部２０ｅにより連通させたため、開口部２０ｂの加工にばらつきがあってもテーパ部２０ｅが接続部本体８ａを挟持できるので、接続部本体８ａが挟持されない不具合が発生し難い。
【００３２】
その他、当業者であれば、本発明の趣旨を逸脱することなく、上記実施例に種々の変更を付加した形態で実施可能であり、本発明はそのような変更形態を包含するものである。
【符号の説明】
【００３３】
１        貯湯給湯装置
２        フレーム部材
４        外装ケース
５        貯湯タンク
６        機器収容部
７ａ，７ｂ  固定脚
８        給湯配管接続部
８ａ      接続部本体
８ｂ      フランジ部
１０      給湯配管（配管）
１０ａ    挿入部
１０ｂ    フランジ部
１１      クイックファスナ
２０      耐震部材
２０ａ    固定部
２０ｂ    開口部
２０ｃ    大径穴
２０ｄ    小径穴
２０ｅ    テーパ部
【図１】
2018100811.tif 000003
【図２】
2018100811.tif 000004
【図３】
2018100811.tif 000005
【図４】
2018100811.tif 000006